(57)【要約】  【課題】    操作が容易で、見ることなくロックを解除できる一芯プッシュプルロックコネクタを提供する。  【解決手段】  互いに接続すべきケーブルＡ、Ｂにおいて、そのケーブルＡ、Ｂに接続したオスコネクタ３及びメスコネクタ６の何れか一方には接続する方向に向かって延びるレバー２０を設け、他方にも接続する方向に向かって延びるレバー２１を設け、それらのレバー２０、２１の何れか一方は撓みレバーで、それらのレバー２０、２１の何れか一方にはロック爪２２と第２の爪２４を、他方にはそのロック爪２２が係合するロック孔２３を設け、またオスコネクタ３とメスコネクタ６の外側にはこの第２の爪２４を中心に向かって押圧するロック解除環２５を長手方向に摺動すべく遊嵌してなる。【選択図】  図１
0003109620.tif 000002
【実用新案登録請求の範囲】
【請求項１】
互いに接続すべきケーブル（Ａ、Ｂ）において、そのケーブル（Ａ、Ｂ）に接続したオスコネクタ（３）及びメスコネクタ（６）の何れか一方には接続する方向に向かって延びるレバー（２０）を設け、他方にも接続する方向に向かって延びるレバー（２１）を設け、それらのレバー（２０、２１）の何れか一方は撓みレバーで、それらのレバー（２０、２１）の何れか一方にはロック爪（２２）と第２の爪（２４）を、他方にはそのロック爪（２２）が係合するロック孔（２３）を設け、またオスコネクタ（３）とメスコネクタ（６）の外側には、この第２の爪（２４）を中心に向かって押圧するロック解除環（２５）を長手方向に摺動すべく遊嵌してなるプッシュプルロックコネクタ。
【請求項２】
互いに接続すべきケーブル（Ａ、Ｂ）において、そのケーブル（Ａ、Ｂ）の芯線（ａ１、ｂ１）にそれぞれ接続した導体の芯線（１１、１２）はオスコネクタ（３）及びメスコネクタ（６）の中心を接続する方向に向かって延び、芯線（１１）の先端（１１ａ）は芯線（１２）の先端の筒状凹部（１２ａ）内に嵌合し、この筒状凹部（１２ａ）の内周面に設けた凹陥部にはツヅミ状に変形する銅合金よりなる薄いバネ筒（１３）を挿入して芯線（１１）と芯線（１２）が強固且つ確実に電気的に導通するようにした請求項１記載のプッシュプルロックコネクタ。
【考案の詳細な説明】
【技術分野】
【０００１】
本考案はプッシュプルロックコネクタに関し、例えば太陽光発電の各パネルの一芯コネクタを接続する一芯プッシュプルロックコネクタに関する。
【背景技術】
【０００２】
従来の太陽光発電の各パネルの一芯コネクタを接続する一芯ロックコネクタは、プッシュすなわち押した時は自動的にロックされて接続されるが、プルすなわち引っ張るときはそのロック爪を手で押して外さなければならなかった。
【考案の開示】
【考案が解決しようとする課題】
【０００３】
しかしこれでは操作が面倒で、暗い場所ではロック爪が分からず、作業が困難であった。
本考案は、暗い場所でも目視することなくロックを解除することができ、作業が容易な一芯プッシュプルロックコネクタを提供するものである。
【課題を解決するための手段】
【０００４】
本考案の請求項１は、互いに接続すべきケーブル（Ａ、Ｂ）において、そのケーブル（Ａ、Ｂ）に接続したオスコネクタ（３）及びメスコネクタ（６）の何れか一方には接続する方向に向かって延びるレバー（２０）を設け、他方にも接続する方向に向かって延びるレバー（２１）を設け、それらのレバー（２０、２１）の何れか一方は撓みレバーで、それらのレバー（２０、２１）の何れか一方にはロック爪（２２）と第２の爪（２４）を、他方にはそのロック爪（２２）が係合するロック孔（２３）を設け、またオスコネクタ（３）とメスコネクタ（６）の外側にはこの第２の爪（２４）を中心に向かって押圧するロック解除環（２５）を長手方向に摺動すべく遊嵌してなる一芯プッシュプルロックコネクタである。
本考案の請求項２は、請求項１記載の一芯プッシュプルロックコネクタの互いに接続すべきケーブル（Ａ、Ｂ）において、そのケーブル（Ａ、Ｂ）の芯線（ａ１、ｂ１）にそれぞれ接続した導体の芯線（１１、１２）はオスコネクタ（３）及びメスコネクタ（６）の中心を接続する方向に向かって延び、芯線（１１）の先端（１１ａ）は芯線（１２）の先端の筒状凹部（１２ａ）内に嵌合し、この筒状凹部（１２ａ）の内周面に設けた凹陥部にはツヅミ状に変形する銅合金よりなる薄いバネ筒（１３）を挿入して芯線（１１）と芯線（１２）は強固且つ確実に電気的に導通するようにしたものである。
【考案の効果】
【０００５】
本考案の請求項１によれば、ロック解除環２５を引っ張る方向（プル方向）に摺動させるだけで、ロック爪２２、２２を見ることなくロックを解除することができるので、操作が容易である。
また、本考案の請求項２によれば、ツヅミ状に変形する銅合金よりなる薄いバネ筒１３により、ケーブルＡ，Ｂの芯線１１と１２は強固且つ確実に電気的に導通するものである。
【考案を実施するための最良の形態】
【０００６】
図１示のように互いに接続すべきケーブルＡ、Ｂにおいて、そのケーブルＡ、Ｂの接続部外周にはそれぞれゴム筒１、４を嵌合し、またそのケーブルＡ、Ｂの接続端には押し（プッシュ）引き（プル）することにより嵌合脱着するそれぞれ筒状本体２、５よりなるオスコネクタ３、メスコネクタ６を接続する。
【０００７】
また、図１示のように、ケーブルＡ、Ｂには、オスコネクタ３及びメスコネクタ６の接続部外側の筒状本体２、５の外周面の螺子に螺合する螺子７ｃ，８ｃ（図４参照）を内周面に有する袋ナット７、８を回動及び摺動すべく遊嵌する。なお袋ナット７、８は対称につき袋ナット７の図面は省略する。図２、３示のようにその筒状本体２、５の外端には櫛状の切り込みを設けて中心に向かって撓む爪２ａ，２ａ，……,５ａ，５ａ，……を形成する。袋ナット７、８内にはその爪２ａ，２ａ，……，５ａ，５ａ，……と係合する円錐面状のテーパー７ａ，８ａを形成する。
これによって各筒状本体２、５の外周面の螺子に袋ナット７、８をねじ込んだとき、テーパー７ａ，８ａにより爪２ａ，２ａ，……，５ａ，５ａ，……は内方に撓んで、各ケーブルＡ、Ｂの外周面のゴム筒１、４の外周面に食い込み、ケーブルＡ、Ｂにオスコネクタ３とメスコネクタ６を抜けないように強固かつ水密に連結する。
【０００８】
また、図４（ロ）示のように、袋ナット７、８には締めつけたとき上記爪２ａ，２ａ，……,５ａ，５ａ，……の間より突入して各筒状本体２、５の外端面に係合する戻り止め用の爪７ｂ，７ｂ，……，８ｂ，８ｂ，……を設ける。
ケーブルＡの芯線ａ１には導体の芯線１１の筒状端部を嵌め、そのかしめ部ａ２をかしめて接続する。ケーブルＢの芯線ｂ１には導体の芯線１２の筒状端部を嵌め、そのかしめ部ｂ２をかしめて接続する。
ケーブルＡの芯線ａ１に接続した導体の芯線１１はオスコネクタ３の筒状本体２の中心を接続する方向に向かって延び、一方ケーブルＢの芯線ｂ１に接続した導体の芯線１２はメスコネクタ６の筒状本体５の中心を接続する方向に向かって延びる。芯線１１の先端１１ａは芯線１２の先端の筒状凹部１２ａに密嵌する形状である。この凹部１２ａの内周面に設けた凹陥部にはツヅミ状に変形する銅合金よりなる薄い弾性板よりなるバネ筒１３を挿入して、芯線１１と１２が強固且つ確実に電気的に導通するようにする。芯線１１の先端１１ａの突部には感電防止用の絶縁プラスチックのキャップ１４を被せる。
このバネ筒１３は図５示のように、縦方向に複数個のスリット１３ａ，１３ａ，……を有し、その中間に形成された片１３ｂ，１３ｂ……は内側に撓むように変形し、外力を加えないときはつずみ状に変形する。
【０００９】
図１示のように、オスコネクタ３の筒状本体２の先端の筒状突部１５はメスコネクタ６の筒状本体５の先端５ｂの外側に形成された筒状空間１６に突入する形状で、その筒状突部１５と筒状本体５の間には防水シール用のＯリング１７を挿入する。
【００１０】
図１示のように、メスコネクタ６の筒状本体５の上下部には内方即ち接続する方向に向かって延びる撓みレバー２０、２０を設け、一方オスコネクタ３の筒状本体２の上下部には、内方即ち接続する方向に向かって延びるレバー２１、２１を設け、このレバー２１、２１には撓みレバー２０、２０のロック爪２２、２２が係合するロック孔２３、２３を設ける。図３（ロ）に示すように、この撓みレバー２０、２０は常時外方に向かって開くような形状にし、接続するときは中心に向かって撓ませてレバー２１、２１の内側に挿入され、上記ロック爪２２、２２とロック孔２３、２３とが強固且つ確実に係合するようにする。上記撓みレバー２０、２０には第２の爪２４、２４を設け、その外側にはこの第２の爪２４、２４を中心に向かって押圧する押圧部２５ａを有するロック解除環２５を長手方向に摺動すべく遊嵌する。
この実施形態においては、オスコネクタ３側にレバー２１、２１を設け、メスコネクタ６側に撓みレバー２０、２０を設けているが、これらの関係を反対にしてもよい。
【００１１】
次に、この装置の動作を説明する。これを接続するためケーブルＡ、Ｂのオスコネクタ３とメスコネクタ６を接近させると、図１示のように芯線１１の先端１１ａは芯線１２の先端の筒状凹部１２ａに密嵌し、両者は電気的に導通すると共にオスコネクタ３の筒状本体２の先端の筒状突部１５はメスコネクタ６の筒状本体５の先端の筒状空間１６に突入し、両者はＯリング１７により水密に連結されると共に撓みレバー２０、２０のロック爪２２、２２はレバー２１、２１のロック孔２３、２３と係合し、両者を接続状態にロックする。この接続状態を外すには、ロック解除環２５を図１において右方即ち引っ張る方向に摺動させる。これによってロック解除環２５の押圧部２５ａは第２の爪２４、２４を中心に向かって押圧し、撓みレバー２０、２０は中心に向かって撓み、ロック爪２２、２２はロック孔２３、２３より外れ、ロックが解除されることになる。
【図面の簡単な説明】
【００１２】
【図１】（イ）は本考案の一実施の形態の連結状態の縦断面図、（ロ）は（イ）のＡ−Ａ線に沿った断面図である。
【図２】オスコネクタ３の筒状本体２の側面図である。
【図３】（イ）はメスコネクタ６の筒状本体５の平面図、（ロ）は側面図である。
【図４】（イ）は袋ナット８の縦断面図、（ロ）は（イ）のＢ−Ｂ線に沿った断面図である。
【図５】バネ筒１３の斜視図である。
【符号の説明】
【００１３】
Ａ、Ｂ    ケーブル
３    オスコネクタ
６    メスコネクタ
２０、２１  レバー
２２  ロック爪
２３  ロック孔
２４  第２の爪
２５  ロック解除環
【図１】
0003109620.tif 000003
【図２】
0003109620.tif 000004
【図３】
0003109620.tif 000005
【図４】
0003109620.tif 000006
【図５】
0003109620.tif 000007